(57)【要約】【課題】過去に印刷された同一タイトルのテープと同一の書式でテープに印刷すること。【解決手段】利用者が指定する印刷内容をテープに印刷するテープ印刷装置であって、印刷内容の入力を受け付ける入力部と、印刷内容の書式設定を受け付けると共に、設定された書式を印刷内容に適用する書式設定部と、書式が設定された印刷内容をテープに印刷する印刷実行部と、印刷実行部で印刷される印刷内容に設定されている書式を、印刷内容に対応付けて格納する書式格納部とを備え、書式設定部は、入力部が印刷内容の入力を受け付ける場合に、入力される印刷内容を検索キーとして、書式格納部から書式を読み出すと共に、当該読み出した書式を入力される印刷内容に適用して表示するテープ印刷装置。【選択図】図５
2006159527.tif 000002
【特許請求の範囲】
【請求項１】
利用者が指定する印刷内容をテープに印刷するテープ印刷装置であって、
印刷内容の入力を受け付ける入力部と、
前記印刷内容の書式設定を受け付けると共に、設定された前記書式を前記印刷内容に適用する書式設定部と、
書式が設定された前記印刷内容を前記テープに印刷する印刷実行部と、
前記印刷実行部で印刷される前記印刷内容に設定されている書式を、前記印刷内容に対応付けて格納する書式格納部と
を備え、
前記書式設定部は、前記入力部が前記印刷内容の入力を受け付ける場合に、入力される印刷内容を検索キーとして、前記書式格納部から前記書式を読み出すと共に、当該読み出した書式を入力される前記印刷内容に適用して表示するテープ印刷装置。
【請求項２】
前記入力部は、前記印刷内容の一部として、前記印刷内容のタイトルと、当該タイトルに関連づけられる項目との入力を受け付け、
前記書式設定部は、前記タイトルの書式設定と前記項目の書式設定をそれぞれ受け付け、
前記書式格納部は、印刷実行部で印刷される前記タイトル及び前記項目のそれぞれに設定されている書式を前記タイトルに対応付けて更に格納し、
前記書式設定部は、前記入力部が前記タイトルの入力を受け付ける場合に、入力されるタイトルを検索キーとして、前記書式格納部から前記タイトルの書式及び前記項目の書式をそれぞれ読み出すと共に、当該読み出した書式を入力される前記タイトル及び前記項目のそれぞれに適用して表示する、請求項１に記載のテープ印刷装置。
【請求項３】
前記書式設定部は、前記入力部に印刷内容が追加されるたびに、既に入力された印刷内容と前方一致する印刷内容を書式格納部から読み出してリスト表示し、リスト表示した前記印刷内容から選択される印刷内容を印刷内容として確定し、確定したに印刷内容に対応付けられている書式を前記書式格納部から読み出し、読み出した前記書式を前記印刷内容に適用して表示する、請求項１に記載のテープ印刷装置。
【請求項４】
利用者が指定する印刷内容をテープに印刷するテープ印刷装置であって、
セットされているテープの種別を識別するテープ識別部と、
前記印刷内容の書式設定を受け付けると共に、設定された前記書式を前記印刷内容に適用する書式設定部と、
書式が設定された前記印刷内容を前記テープに印刷する印刷実行部と、
前記印刷実行部で印刷される前記印刷内容に設定されている書式を、前記テープの種別に対応付けて格納する書式格納部と
を備え、
前記書式設定部は、前記テープ識別部が前記テープの種別を識別した場合に、識別された前記テープの種別を検索キーとして、前記書式格納部から前記書式を読み出すと共に、当該読み出した書式を前記印刷内容に適用して表示するテープ印刷装置。
【請求項５】
利用者が指定する印刷内容をテープに印刷するテープ印刷装置用のプログラムであって、前記テープ印刷装置に、
印刷内容の入力を受け付ける入力部と、
前記印刷内容の書式設定を受け付けると共に、設定された前記書式を前記印刷内容に適用する書式設定部と、
書式が設定された前記印刷内容を前記テープに印刷する印刷実行部と、
前記印刷実行部で印刷される前記印刷内容に設定されている書式を、前記印刷内容に対応付けて格納する書式格納部と
の機能を実現させ、
前記書式設定部は、前記入力部が前記印刷内容の入力を受け付ける場合に、入力される印刷内容を検索キーとして、前記書式格納部から前記書式を読み出すと共に、当該読み出した書式を入力される前記印刷内容に適用して表示するプログラム。
【請求項６】
利用者が指定する印刷内容をテープに印刷するテープ印刷装置用のプログラムであって、前記テープ印刷装置に、
セットされているテープの種別を識別するテープ識別部と、
前記印刷内容の書式設定を受け付けると共に、設定された前記書式を前記印刷内容に適用する書式設定部と、
書式が設定された前記印刷内容を前記テープに印刷する印刷実行部と、
前記印刷実行部で印刷される前記印刷内容に設定されている書式を、前記テープの種別に対応付けて格納する書式格納部と
の機能を実現させ、
前記書式設定部は、前記テープ識別部が前記テープの種別を識別した場合に、識別された前記テープの種別を検索キーとして、前記書式格納部から前記書式を読み出すと共に、当該読み出した書式を前記印刷内容に適用して表示するプログラム。
【発明の詳細な説明】
【技術分野】
【０００１】
本発明は、利用者が指定する印刷内容をテープに印刷するテープ印刷装置、及び当該テープ印刷装置用のプログラムに関する。
【背景技術】
【０００２】
従来、利用者が指定する印刷内容をテープに印刷するテープ印刷装置が知られている。これらのテープ印刷装置を利用する場合、利用者は、テキスト情報などの印刷内容を入力すると共に、フォント、フォントサイズ、及びレイアウトなどの書式を設定する。テープ印刷装置は、入力された印刷内容を、設定された書式で印刷する（例えば、特許文献１参照。）。
【特許文献１】特開２００４−２５５８１号公報
【発明の開示】
【発明が解決しようとする課題】
【０００３】
ところで、テープ印刷装置は、限定された用途に利用される場合が多い。特にファイル（バインダー）の背表紙に貼るラベルはその代表的な用途である。過去に作成したラベルと同一の又は類似する用途で再度ラベルを作成する場合、新たに作成するラベルの書式は過去に作成したラベルと共通であることが望ましい。しかしながら、従来のテープ印刷装置は電源を投入する度に書式がデフォルトの設定に戻るので、新たに作成するラベルの書式を、過去に作成した、用途が同一又は類似するラベルと統一することが困難であるという課題があった。
【課題を解決するための手段】
【０００４】
上記課題を解決するために、本発明の第１の形態においては、利用者が指定する印刷内容をテープに印刷するテープ印刷装置であって、印刷内容の入力を受け付ける入力部と、印刷内容の書式設定を受け付けると共に、設定された書式を印刷内容に適用する書式設定部と、書式が設定された印刷内容をテープに印刷する印刷実行部と、印刷実行部で印刷される印刷内容に設定されている書式を、印刷内容に対応付けて格納する書式格納部とを備え、書式設定部は、入力部が印刷内容の入力を受け付ける場合に、入力される印刷内容を検索キーとして、書式格納部から書式を読み出すと共に、当該読み出した書式を入力される印刷内容に適用して表示するテープ印刷装置が提供される。これにより、テープ印刷装置が過去に印刷したテープと同一の印刷内容のテープを新たに印刷する場合に、前回と同一の書式を簡単に呼び出して印刷内容に適用することができる。利用者は呼び出された書式を確認して印刷を実行するという簡単な操作により、以前に印刷されたテープと同一の書式で同一の印刷内容をテープに印刷できる。
【０００５】
上記の印刷装置において、入力部は、印刷内容の一部として、印刷内容のタイトルと、当該タイトルに関連づけられる項目との入力を受け付け、書式設定部は、タイトルの書式設定と項目の書式設定をそれぞれ受け付け、書式格納部は、印刷実行部で印刷されるタイトル及び項目のそれぞれに設定されている書式をタイトルに対応付けて更に格納し、書式設定部は、入力部がタイトルの入力を受け付ける場合に、入力されるタイトルを検索キーとして、書式格納部からタイトルの書式及び項目の書式をそれぞれ読み出すと共に、当該読み出した書式を入力されるタイトル及び項目のそれぞれに適用して表示してもよい。これにより、過去に印刷したテープと同一のタイトルを有する新たなテープを過去の印刷と同一の書式で容易で印刷できる。
【０００６】
書式設定部は、入力部に印刷内容が追加されるたびに、既に入力された印刷内容と前方一致する印刷内容を書式格納部から読み出してリスト表示し、リスト表示した印刷内容から選択される印刷内容を印刷内容として確定し、確定したに印刷内容に対応付けられている書式を書式格納部から読み出し、読み出した書式を印刷内容に適用して表示してもよい。これにより、過去の印刷内容の履歴に基づいて印刷内容の入力を簡素化することができる。
【０００７】
本発明の第２の形態によれば、利用者が指定する印刷内容をテープに印刷するテープ印刷装置であって、セットされているテープの種別を識別するテープ識別部と、印刷内容の書式設定を受け付けると共に、設定された書式を印刷内容に適用する書式設定部と、書式が設定された印刷内容をテープに印刷する印刷実行部と、印刷実行部で印刷される印刷内容に設定されている書式を、テープの種別に対応付けて格納する書式格納部とを備え、書式設定部は、テープ識別部がテープの種別を識別した場合に、識別されたテープの種別を検索キーとして、書式格納部から書式を読み出すと共に、当該読み出した書式を印刷内容に適用して表示するテープ印刷装置が提供される。これにより、テープ印刷装置は、テープの種別毎に書式が共通する印刷内容を効率よく印刷できる。
【０００８】
本発明の第３の形態によれば、利用者が指定する印刷内容をテープに印刷するテープ印刷装置用のプログラムであって、テープ印刷装置に、印刷内容の入力を受け付ける入力部と、印刷内容の書式設定を受け付けると共に、設定された書式を印刷内容に適用する書式設定部と、書式が設定された印刷内容をテープに印刷する印刷実行部と、印刷実行部で印刷される印刷内容に設定されている書式を、印刷内容に対応付けて格納する書式格納部と
の機能を実現させ、書式設定部は、入力部が印刷内容の入力を受け付ける場合に、入力される印刷内容を検索キーとして、書式格納部から書式を読み出すと共に、当該読み出した書式を入力される印刷内容に適用して表示するプログラムが提供される。これにより、第１の形態と同様の効果を奏する。
【０００９】
本発明の第４の形態によれば、利用者が指定する印刷内容をテープに印刷するテープ印刷装置用のプログラムであって、テープ印刷装置に、セットされているテープの種別を識別するテープ識別部と、印刷内容の書式設定を受け付けると共に、設定された書式を印刷内容に適用する書式設定部と、書式が設定された印刷内容をテープに印刷する印刷実行部と、印刷実行部で印刷される印刷内容に設定されている書式を、テープの種別に対応付けて格納する書式格納部との機能を実現させ、書式設定部は、テープ識別部がテープの種別を識別した場合に、識別されたテープの種別を検索キーとして、書式格納部から書式を読み出すと共に、当該読み出した書式を印刷内容に適用して表示するプログラムが提供される。これにより、第２の形態と同様の効果を奏する。
【００１０】
なお、上記の発明の概要は、本発明の必要な特徴の全てを列挙したものではなく、これらの特徴群のサブコンビネーションもまた、発明となりうる。
【発明を実施するための最良の形態】
【００１１】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１２】
図１および図２に示すように、このテープ印刷装置１は、装置ケース２により外殻が形成され、装置ケース２の前部上面には各種入力キーから成るキーボード３を備えている。また、後部上面には、その左部に開閉蓋２１が取り付けられ、その右部にはディスプレイ４が配設されている。
【００１３】
また、図３に示すように、基本的な構成として、キーボード３やディスプレイ４を有してユーザとのインタフェースを行う操作部１１、印刷ヘッド（サーマルヘッド）７やテープ送り部１２０を有してポケット６内に装着したテープカートリッジＣの印刷用テープ（以下単に「テープ」）Ｔに印刷を行う印刷部１２、印刷後のテープＴの切断を行う切断部１３、各種センサを有して各種検出を行う検出部１４、各種ドライバを有して各部回路を駆動する駆動部２７０、および、テープ印刷装置１内の各部を制御する制御部２００を備えている。
【００１４】
このため、装置ケース２の内部には、印刷部１２、切断部１３、検出部１４などの他、図外の回路基板が収納されている。この回路基板には、電源ユニットの他、駆動部２７０や制御部２００の各回路などが搭載され、図外のＡＣアダプタ接続口や外部から着脱可能なニッカド電池等の電池に接続されている。
【００１５】
テープ印刷装置１では、ユーザが、ポケット６にテープカートリッジＣを装着した後、ディスプレイ４により入力・編集結果を確認しながらキーボード３により所望の文字など（文字、数字、記号、簡易図形等のキャラクタ）の印刷情報を入力して、印刷を指示すると、テープ送り部１２０によりテープカートリッジＣからテープＴを繰り出して、印刷ヘッド７によりテープＴに所望の印刷を行い、印刷済み部分はテープ排出口２２から随時外部に送り出される。所望の印刷が完了すると、テープ送り部１２０は、余白分を含むテープ長さの位置までテープＴの送りを行った後、その送りを停止する。
【００１６】
図２および図３に示すように、印刷部１２には、開閉蓋２１の内側に、テープカートリッジＣを装着するためのポケット６が設けられていて、テープカートリッジＣはこの開閉蓋２１を開放した状態でポケット６に対して着脱される。テープカートリッジＣには、カートリッジケース５１の内部に一定の幅（４．５ｍｍ〜４８ｍｍ程度）のテープＴとインクリボンＲが収容されており、印刷ヘッド７が臨む貫通開口５５が形成されている。
【００１７】
また、テープカートリッジＣの裏面には、相異なる幅等のテープＴの種別を識別できるように小さな複数の孔が設けられ、ポケット６には、この孔の有無を検出するマイクロスイッチなどのテープ識別センサ１４２が設けられていて、テープＴの有無（正確にはテープカートリッジＣが装着されているか否か）およびテープＴの種別（正確にはテープカートリッジＣの種別）を検出できるようになっている。テープＴは、裏面に粘着面が形成され、それが剥離紙によって覆われた構成になっている。テープＴとインクリボンＲは、貫通開口５５の位置で相互に重なり合った状態で走行するとともに、テープＴのみが外部に排出され、インクリボンＲは内部で巻き取られるようになっている。
【００１８】
ヘッドユニット６１には、サーマルヘッドから成る印刷ヘッド７が内蔵されており、テープカートリッジＣが装着された状態で、印刷ヘッド７が貫通開口５５から露出しているインクリボンＲの裏面に当たり、発熱駆動されて所望の文字などがテープＴの表面に印刷される。ポケット６には、装着されたテープカートリッジＣの被駆動部が係合する駆動軸６２、６３などが設けられ、これらにより、送りモータ１２１を駆動源として、テープカートリッジＣ内のテープＴおよびインクリボンＲの送りが行われ、かつこれらに同期して印刷ヘッド７が駆動され、印刷が行われる。また、テープ排出口２２には、テープＴを切断するテープカッタ１３２が臨み、印刷完了後、切断位置がテープカッタ１３２の位置に合うように、テープ排出口２２に向かってテープＴの送りが続行される。
【００１９】
切断部１３は、テープカッタ１３２と、これを切断動作させるカッタモータ１３１と、任意長印刷などの場合に手動（マニュアル）によりテープカッタを切断動作させるカットボタン１３３と、を備えている。また、定長印刷などの場合には自動（オート）でカッタモータ１３２を駆動する。また、これにより、テープ印刷装置１では、モード設定によって、自動／手動を切り替えられるようにしている。
【００２０】
検出部１４は、送りモータ１２１の回転速度を検出するための回転速度センサ１４１と、前述のテープ識別センサ１４２と、を備えている。
【００２１】
駆動部２７０は、ディスプレイドライバ２７１と、ヘッドドライバ２７２と、モータドライバ２７３と、を備えている。ディスプレイドライバ２７１は、制御部２００から出力される制御信号に基づき、その指示にしたがって、操作部１１のディスプレイ４を駆動する。同様に、ヘッドドライバ２７２は、制御部２００の指示にしたがって、印刷部１２の印刷ヘッド７を駆動する。また、モータドライバ２７３は、印刷部１２の送りモータ１２１を駆動する送りモータドライバ２７３ｄと、切断部１３のカッタモータ１３１を駆動するカッタモータドライバ２７３ｃとを有し、同様に、各モータを駆動する。
【００２２】
操作部１１は、キーボード３とディスプレイ４とを備えている。ディスプレイ４は、横方向（Ｘ方向）約６ｃｍ×縦方向（Ｙ方向）４ｃｍの長方形の形状の内側に、９６ドット×６４ドットの表示画像データを表示可能な表示画面４１を有し、ユーザがキーボード３からデータを入力して、キャラクタ列画像データなどの印刷画像データを作成・編集したり、その結果等を視認したり、キーボード３から各種指令・選択指示等を入力したりする際などに用いられる。
【００２３】
キーボード３には、アルファベットキー群、数字キー群、平仮名や片仮名等の仮名キー群、および外字を呼び出して選択するための外字キー群等を含む文字キー群の他、各種の動作モードなどを指定するための機能キー群などが配列されている。機能キー群には、電源キー、印刷動作を指示するための印刷キー、テキスト入力時のデータ確定や改行および選択画面における各種モードの選択指示のための選択キー、並びに、それぞれ上下左右の方向へのカーソル移動や表示画面４１の表示範囲を移動させるための４個のカーソルキーなどが含まれる。
【００２４】
図３に示すように、キーボード３は、種々の指令およびデータを制御部２００に入力する。制御部２００は、ＣＰＵ２１０、ＲＯＭ２２０、キャラクタジェネレータＲＯＭ（ＣＧ−ＲＯＭ）２３０、ＲＡＭ２４０、周辺制御回路（Ｐ−ＣＯＮ）２５０を備え、互いに内部バス２６０により接続されている。
【００２５】
ＲＯＭ２２０は、ＣＰＵ２１０で処理する制御プログラムを記憶する制御プログラム領域２２１と、色変換テーブル及び文字修飾テーブルなどを含む制御データを記憶する制御データ領域２２２と、を有している。ＣＧ−ＲＯＭ２３０は、テープ印刷装置１に用意されている文字等（数字、記号、図形等を含む）のフォントデータを記憶していて、文字等を特定するコードデータが与えられたときに、対応するフォントデータを出力する。
【００２６】
ＲＡＭ２４０は、電源オフ時のバックアップがされていて、各種フラグ・レジスタ群２４１、テキストデータ領域２４２、表示画像データ領域２４３、印刷画像データ領域２４４、描画登録画像データ領域２４５、外字登録画像データ領域２４６、文字展開バッファ、印刷バッファなどの各種バッファ領域２４７などの領域を有し、制御処理のための作業領域として使用される。
【００２７】
Ｐ−ＣＯＮ２５０には、ＣＰＵ２１０の機能を補うとともに周辺回路とのインタフェース信号を取り扱うための論理回路が、ゲートアレイやカスタムＬＳＩなどにより構成されて組み込まれている。例えば、種々の計時を行うタイマ２５１などもＰ−ＣＯＮ２５０内の機能として組み込まれている。このため、Ｐ−ＣＯＮ２５０は、検出部１４の各種センサやキーボード３と接続され、検出部１４からの前述した各種検出信号およびキーボード３からの各種指令や入力データなどをそのままあるいは加工して内部バス２６０に取り込むとともに、ＣＰＵ２１０と連動して、ＣＰＵ２１０等から内部バス２６０に出力されたデータや制御信号を、そのままあるいは加工して駆動部２７０に出力する。
【００２８】
そして、ＣＰＵ２１０は、上記の構成により、ＲＯＭ２２０内の制御プログラムにしたがって、Ｐ−ＣＯＮ２５０を介して各種検出信号、各種指令、各種データ等を入力し、ＣＧ−ＲＯＭ２３０からのフォントデータ、ＲＡＭ２４０内の各種データ等を処理し、Ｐ−ＣＯＮ２５０を介して駆動部２７０に制御信号を出力することにより、印刷の位置制御や表示画面４１の表示制御等を行うとともに、印刷ヘッド７を制御して所定の印刷条件でテープＴに印刷するなど、テープ印刷装置１全体を制御している。
【００２９】
次に、テープ印刷装置１の制御全体の処理フローについて、図４を参照して説明する。電源キーを押すこと（電源オン）により処理が開始すると、同図に示すように、まず、前回の電源オフ時の状態に戻すために、退避していた各制御フラグを復旧するなどの初期設定を行い（Ｓ１）、次に、前回の表示画面を初期画面として表示する（Ｓ２）。
【００３０】
同図のその後の処理、すなわちキー入力か否かの判断分岐（Ｓ３）および各種割込処理（Ｓ４）は、概念的に示した処理である。実際には、テープ印刷装置１では、初期画面表示（Ｓ２）が終了すると、キー入力割込を許可し、キー入力割込が発生するまでは、そのままの状態を維持し（Ｓ３：Ｎｏ）、何らかのキー入力割込が発生すると（Ｓ３：Ｙｅｓ）、それぞれの割込処理に移行して（Ｓ４）、その割込処理が終了すると、再度、その状態を維持する（Ｓ３：Ｎｏ）。
【００３１】
上述のように、テープ印刷装置１では、主な処理を割込処理により行うので、印刷画像作成などの準備ができていれば、ユーザが任意の時点で印刷キーを押すことにより、印刷処理割込が発生して、印刷処理が起動され、印刷画像データに基づいて印刷画像の印刷ができる。すなわち、印刷に至るまでの操作手順は、ユーザが任意に選択できる。
【００３２】
例えばテキスト編集画面表示の状態で、ユーザにより印刷キーが押されると、「印刷中」のメッセージの表示とともに、それまでに入力された文字列の文字列画像を印刷画像として印刷し、印刷が終了すると元のテキスト編集画面に戻る。なお、テープ印刷装置１では、ユーザは、キー入力による各種指示を取消キーにより取り消すことができる。例えば印刷中に取消キーを押すことにより、元のテキスト編集画面の表示状態に戻る。
【００３３】
図５は、テープ印刷装置１の機能構成の他の例を示すブロック図である。テープ印刷装置１は、入力部３００、書式設定部３０２、印刷実行部３０８、書式格納部３０４、及びテープ識別部３０６を備える。入力部３００は、印刷内容の入力を受け付ける。書式設定部３０２は、印刷内容の書式設定を受け付けると共に、設定された書式を印刷内容に適用する。印刷実行部３０８は、書式が設定された印刷内容をテープに印刷する。書式格納部３０４は、印刷実行部３０８で印刷される印刷内容に設定されている書式を、印刷内容に対応付けて格納する。入力部３００は、例えば図３の操作部１１に対応する。書式設定部３０２は、例えば制御部２００に対応する。書式格納部３０４は、例えばＲＡＭ２４０に対応する。テープ識別部３０６は、例えば検出部１４に対応する。印刷実行部３０８は、例えば印刷部１２に対応する。
【００３４】
書式設定部３０２は、入力部３００が印刷内容の入力を受け付ける場合に、入力される印刷内容を検索キーとして、書式格納部３０４から書式を読み出すと共に、当該読み出した書式を入力される印刷内容に適用して表示する。書式がユーザによって確認され、印刷キーが入力されると、その時点の書式設定で印刷内容がテープに印刷される。以上の機能構成によれば、テープ印刷装置１が過去に印刷したテープと同一の印刷内容のテープを新たに印刷する場合に、前回と同一の書式を簡単に呼び出して印刷内容に適用することができる。ユーザは呼び出された書式を確認して印刷を実行するという簡単な操作により、以前に印刷されたテープと同一の書式で同一の印刷内容をテープに印刷できる。
【００３５】
入力部３００はさらに、印刷内容の一部として、印刷内容のタイトルと、当該タイトルに関連づけられる項目との入力を受け付ける。この場合、書式設定部３０２は、タイトルの書式設定と項目の書式設定をそれぞれ受け付ける。書式格納部３０４は、印刷実行部３０８で印刷されるタイトル及び項目のそれぞれに設定されている書式をタイトルに対応付けて更に格納する。書式設定部３０２は、入力部３００がタイトルの入力を受け付ける場合に、入力されるタイトルを検索キーとして、書式格納部３０４からタイトルの書式及び項目の書式をそれぞれ読み出すと共に、当該読み出した書式を入力されるタイトル及び項目のそれぞれに適用して表示する。これにより、過去に印刷したテープと同一のタイトルを有する新たなテープを過去の印刷と同一の書式で容易で印刷できる。
【００３６】
テープ印刷装置１は、更に、セットされているテープの種別を識別するテープ識別部３０６を備える。そして書式格納部３０４は、印刷実行部３０８で印刷される印刷内容に設定されている書式を、テープの種別に更に対応付けて格納する。書式設定部３０２は、テープ識別部３０６がテープの種別を識別した場合に、識別されたテープの種別を検索キーとして、書式格納部３０４から書式を読み出すと共に、当該読み出した書式を印刷内容に適用して表示する。これにより、テープ印刷装置１は、テープの種別毎に書式が共通する印刷内容を効率よく印刷できる。
【００３７】
記録媒体７０は、テープ印刷装置１を入力部３００、書式設定部３０２、印刷実行部３０８、書式格納部３０４、及びテープ識別部３０６として機能させるプログラムを格納する。上記プログラムは単一の記録媒体に格納されても複数の記録媒体に格納されても良い。また記録媒体７０に格納されるプログラムは、オペレーティングシステムとの共同によってそれぞれの機能を提供してもよい。例えば、プログラムは、機能の一部または全部を行うことをオペレーティングシステムに依頼し、オペレーティングシステムからの応答に基づいて機能を提供するものであってもよい。
【００３８】
プログラムを格納する記録媒体７０としては、フレキシブルディスク、ＣＤ−ＲＯＭの他にも、ＤＶＤ、ＰＤ等の光学記録媒体、ＭＤ等の光磁気記録媒体、テープ媒体、磁気記録媒体、フラッシュメモリ、ＩＣカード、ミニチュアーカード等の半導体メモリー等を用いることができる。又、専用通信ネットワークやインターネットに接続されたサーバシステムに設けたハードディスクまたはＲＡＭ等の格納装置を記録媒体として使用してもよい。
【００３９】
図６は、書式格納部３０４のデータフォーマットの一例を示す。書式格納部３０４は、印刷実行部３０８で印刷される印刷内容に設定されている書式を、印刷内容に対応付けて格納する。本実施例で書式格納部３０４に格納される印刷内容は、例えば背表紙に貼るラベルのタイトルである。書式格納部３０４は、印刷実行部３０８で印刷されるタイトル及び項目のそれぞれに設定されている書式をタイトルに対応付けて格納している。書式格納部３０４はさらに、印刷実行部３０８で印刷される印刷内容に設定されている書式を、テープの種別に対応付けて格納する。テープの種別は、例えばテープの幅及びテープの色を示すテープ種別コードで示される。書式の種類は、縦書き／横書き、テキストのフォント、フォントサイズ、レイアウト、スタイル、文字間隔、及び背景の網掛けなどである。
【００４０】
図７は、テープ印刷装置１が印刷内容に応じて書式を設定する動作フローの例を示す。本図に示す動作フローは、図４に示した各種割込処理Ｓ４の一例である。まず、ユーザから印刷内容のタイトルを入力する旨の選択、例えば操作部１１に含まれる不図示のタイトルボタン等が実行されると（Ｓ１０：Ｙｅｓ）、入力部３００及び書式設定部３０２は、タイトル入力モードに移行してタイトルの入力を受け付ける（Ｓ１００）。次に、書式設定部３０２は、ステップ１００で入力されたタイトルに対応する項目の書式を書式格納部３０４において検索する。入力されたタイトルに対応する項目の書式を書式格納部３０４において検出すると（Ｓ１２：Ｙｅｓ）、入力部３００及び書式設定部３０２はタイトルに関連する項目を入力する項目入力モードに移行する（Ｓ２００）。一方、ステップ１２において、タイトルに対応する項目が書式格納部３０４に格納されていないと判断した場合（Ｓ１２：Ｎｏ）、ステップ２００をスキップする。
【００４１】
次に、印刷実行部３０８は、印刷指示が入力されたか否かを判断する（Ｓ１４）。印刷指示が入力されたと判断すると、ステップ１００又はステップ３００で設定されたタイトルを、当該タイトルに設定された書式で印刷する共に、ステップ２００又はステップ３００で設定された項目を、当該項目に設定された書式で印刷する（Ｓ１６）。一方、印刷指示が入力されない場合（Ｓ１４：Ｎｏ）、本フローを終了する。なお、タイトルと項目でテープの種別が異なる場合、テープ印刷装置１は、タイトルの印刷と項目の印刷に使用するテープをそれぞれ要求する。テープの種別は、ステップ１００、ステップ２００、及びステップ３００における書式設定の一部として設定される。
【００４２】
印刷が完了すると、書式設定部３０２は、タイトル及び項目に設定された書式をタイトルに対応付けて書式格納部３０４に登録する（Ｓ１８）。例えば、印刷実行部３０８で印刷されたタイトル及び項目のそれぞれに設定されていた書式をタイトルの文字列に対応付けて、書式格納部３０４に格納する。以上で本フローは終了する。
【００４３】
図８は、図７におけるタイトル入力モード（Ｓ１００）の詳細な動作フローを示す。まず、入力部３００は、タイトルの入力を受け付ける（Ｓ１０１）。書式設定部３０２は、入力部３００に入力されるタイトルの文字列を検索キーとして、書式格納部３０４において前方一致によりタイトルを検索する（Ｓ１０２）。書式設定部３０２は、入力されたタイトルの文字列と前方一致するタイトルを検出した場合（Ｓ１０４：Ｙｅｓ）、検出したタイトルの一覧を一致候補としてディスプレイ４に表示する（Ｓ１０６）。タイトルの一致候補が複数ある場合、書式設定部３０２は、入力部３００に新たな文字が追加されるたびに絞り込み検索を実行して、検索結果をディスプレイ４に再表示する。これにより、過去の印刷内容の履歴に基づいて印刷内容を効率的に入力することができる。一方、ステップ１０４において、入力されたタイトルの文字列と前方一致するタイトルを検出しない場合（Ｓ１０４：Ｎｏ）、ステップ３００に進む。
【００４４】
入力部３００において、一致候補のうちの一つのタイトルの選択を受け付けると（Ｓ１０８）、書式設定部３０２は、選択されたタイトルに対応付けられているタイトルの書式を書式格納部３０４から書式を読み出し（Ｓ１１０）、入力されるタイトルに読み出した書式を適用して表示する（Ｓ１１２）。入力部３００は、ステップ１１２で適用された書式で更に入力を受け付ける（Ｓ１１４）。書式設定部３０２は、書式を変更する旨の指示が入力されたか否かを判断する（Ｓ１１６）。書式を変更する旨の指示が入力された場合、書式の設定を受け付ける（Ｓ１１８）。一方、書式を変更する旨の指示が入力されていないと判断する場合、次にタイトル入力を完了する旨が入力されたか否かを判断する（Ｓ１２０）。タイトル入力を完了する旨が入力されていないと判断すると（Ｓ１２０：Ｎｏ）ステップ１１４に戻り、タイトルの入力を引き続き受け付ける。一方、タイトル入力を完了する旨が入力されたと判断すると（Ｓ１２０：Ｙｅｓ）、タイトル入力モード（Ｓ１００）を終了する。
【００４５】
図９は、図７における項目入力モード（Ｓ２００）の詳細な動作フローを示す。まず、書式設定部３０２は、タイトル入力モード（Ｓ１００）で入力されたタイトルを検索キーとして、書式格納部３０４から項目の書式を読み出し、入力部３００に入力される項目の書式として適用する（Ｓ２０２）。入力部３００は、適用された書式で項目の入力を受け付ける（Ｓ２０４）。書式設定部３０２は、書式を変更する旨の指示が入力されたか否かを判断する（Ｓ２０６）。書式を変更する旨の指示が入力された場合（Ｓ２０６：Ｙｅｓ）、書式の設定を受け付ける（Ｓ２０８）。一方、書式を変更する旨の指示が入力されていないと判断する場合（Ｓ２０６：Ｎｏ）、次に全項目の入力を完了する旨が入力されたか否かを判断する（Ｓ２１０）。全項目の入力を完了する旨が入力されていないと判断すると（Ｓ２１０：Ｎｏ）ステップ２０４に戻り、項目の入力を引き続き受け付ける。一方、全項目の入力を完了する旨が入力されたと判断すると（Ｓ２１０：Ｙｅｓ）、項目入力モード（Ｓ２００）を終了する。
【００４６】
図１０は、図８におけるステップ３００の詳細を示す。まず、書式設定部３０２は、タイトルの書式設定を受け付ける（Ｓ３０２）。入力部３００は、設定された書式でタイトルの入力を受け付ける（Ｓ３０４）。次に、タイトル入力を完了する旨が入力されたか否かを判断する（Ｓ３０６）。タイトル入力を完了する旨が入力されていないと判断すると（Ｓ３０６：Ｎｏ）ステップ３０４に戻り、タイトルの入力を引き続き受け付ける。一方、タイトル入力を完了する旨が入力されたと判断すると（Ｓ３０６：Ｙｅｓ）、入力部３００は、入力したタイトルに関連する項目を入力するか否かをユーザに問い合わせる表示を行う（Ｓ３０８）。項目を入力する旨の指示が入力されると（Ｓ３０８：Ｙｅｓ）、入力部３００は、項目の書式設定を受け付け（Ｓ３１０）、設定された書式で項目の入力を受け付ける（Ｓ３１２）。一方、ステップ３０８において項目を入力しない旨の指示が入力されると（Ｓ３０８：Ｎｏ）、本フロー（Ｓ３００）を終了する。
【００４７】
次に、項目入力を完了する旨が入力されたか否かを判断する（Ｓ３１４）。項目入力を完了する旨が入力されていないと判断すると（Ｓ３１４：Ｎｏ）ステップ３１２に戻り、項目の入力を受け付ける。一方、項目入力が完了した旨が入力されたと判断すると（Ｓ３１４：Ｙｅｓ）、本フロー（Ｓ３００）を終了し、図７のステップ１４に進む。
【００４８】
図７から図１０に示した動作フローによれば、テープ印刷装置１は、過去に印刷したテープと同一の印刷内容のテープを新たに印刷する場合に、前回と同一の書式を簡単に呼び出して印刷内容に適用することができる。ユーザは呼び出された書式を確認して印刷を実行するという簡単な操作により、以前に印刷されたテープと同一の書式で同一の印刷内容をテープに印刷できる。特に、過去に印刷したテープと同一のタイトルを有する新たなテープを過去の印刷と同一の書式で容易で印刷できる。
【００４９】
図１１は、テープ印刷装置１がテープの種別に応じて書式を設定する動作例である。本図に示す動作フローは、図４に示した各種割込処理Ｓ４の他の例である。まず、テープ識別部３０６は、テープ識別センサ１４２（図３）を用いてポケット６（図２）にセットされているテープＴの種別を識別する（Ｓ４００）。書式設定部３０２は、識別したテープ種別が過去に使用したテープ種別であるか否かを判断する（Ｓ４０２）。即ち、識別したテープ種別が書式格納部３０４に格納されているか否かを判断する。識別したテープ種別が書式格納部３０４に格納されている場合（Ｓ４０２：Ｙｅｓ）、当該テープ種別に対応付けられている書式を書式格納部３０４から読み出して、入力部３００に入力される印刷内容に適用する（Ｓ４０４）。ステップ４０２において、識別したテープ種別が書式格納部３０４に格納されていないと判断した場合（Ｓ４０２：Ｎｏ）、ステップ４０４をスキップする。入力部３００は、印刷内容の入力を受け付ける（Ｓ４０６）。
【００５０】
書式設定部３０２は、書式を変更する旨の指示が入力されたか否かを判断する（Ｓ４０８）。書式を変更する旨の指示が入力された場合（Ｓ４０８：Ｙｅｓ）、書式の設定を受け付ける（Ｓ４１０）。一方、書式を変更する旨の指示が入力されていないと判断する場合（Ｓ４０８：Ｎｏ）、次に印刷内容の入力が完了した旨が入力されたか否かを判断する（Ｓ４１２）。印刷内容の入力を完了する旨が入力されていないと判断すると（Ｓ４１２：Ｎｏ）ステップ４０６に戻り、印刷内容の入力を受け付ける。一方、印刷内容の入力を完了する旨が入力されたと判断すると（Ｓ４１２：Ｙｅｓ）、ステップ４１４に進み印刷実行の指示、すなわち印刷ボタンの押下を待つ。
【００５１】
印刷指示が入力されたと判断すると（Ｓ４１４：Ｙｅｓ）、印刷実行部３０８は、ステップ４１４の時点で確定された書式で印刷内容の印刷を実行する（Ｓ４１６）。一方、印刷指示が入力されない場合（Ｓ４１４：Ｎｏ）、本フローを終了する。ステップ４１６における印刷が完了すると、書式設定部３０２は、印刷内容の書式をテープの種別に対応付けて書式格納部３０４に格納する（Ｓ４１８）。以上で本フローは終了する。上記の動作フローによれば、テープ印刷装置１は、テープの種別毎に書式が共通する印刷内容を効率よく印刷できる。
【００５２】
図１２は、テープ印刷装置１で印刷したラベル５０２の使用例を示す図である。ラベル５０２は、タイトルを印刷したタイトルラベル５０２ａと、タイトルに関連する項目を印刷した項目ラベル５０２ｂ、５０２ｃ、及び５０２ｄである。項目ラベル５０２ｂ、５０２ｃ、及び５０２ｄには、それぞれ項目５０６、５０８、及び５１０が印刷されている。タイトル５０４、項目５０６、項目５０８、及び項目５１０の書式は、それぞれタイトル５０４のテキスト情報に基づいて書式設定部３０２が設定した書式である。ユーザは、過去に印刷したテープ（ラベル）と同一のタイトル５０４を有する新たなテープを過去の印刷と同一の書式で容易で印刷できる。ユーザは、テープ印刷装置１により出力されたテープ（ラベル）を背表紙５００に貼ることにより、同一のタイトル５０４を有する複数の背表紙５００間で容易に書式を統一することができる。
【００５３】
なお、上記の実施形態において、テープ印刷装置１はサーマルヘッドによる熱転写でテープに印字する形態を記載した。しかしながら、テープ印刷装置１の印字方式は熱転写方式に限られない。例えば、テープ印刷装置１は、被記録物にインクを噴射することによって印字するインクジェット式記録装置であってもよい。
【００５４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００５５】
【図１】本発明の一実施形態に係るテープ印刷装置１の外観斜視図である。
【図２】テープ印刷装置１の、蓋を開けた状態の斜視図である。
【図３】テープ印刷装置１の機能構成を示すブロック図である。
【図４】テープ印刷装置１の制御動作の概略を示すフローチャートである。
【図５】テープ印刷装置１の機能構成の他の例を示すブロック図である。
【図６】書式格納部３０４のデータフォーマットの一例を示す。
【図７】テープ印刷装置１が印刷内容に応じて書式を設定する動作例である。
【図８】図７におけるタイトル入力モード（Ｓ１００）の詳細な動作フローを示す。
【図９】図７における項目入力モード（Ｓ２００）の詳細な動作フローを示す。
【図１０】図８におけるステップ３００の詳細を示す。
【図１１】テープ印刷装置１がテープの種別に応じて書式を設定する動作例である。
【図１２】テープ印刷装置１で印刷したラベル５０２の使用例を示す図である。
【符号の説明】
【００５６】
１  テープ印刷装置、２  装置ケース、３  キーボード、４  ディスプレイ、７  印刷ヘッド、１１  操作部、１２  印刷部、１３  切断部、１４  検出部、７０  記録媒体、２００  制御部、２７０  駆動部、Ｃ  テープカートリッジ、Ｒ  インクリボン、Ｔ  テープ、３００  入力部、３０２  書式設定部、３０４  書式格納部、３０６  テープ識別部、３０８  印刷実行部、５００  背表紙、５０２  ラベル、５０４  タイトル、５０６、５０８、５１０  項目
【図１】
2006159527.tif 000003
【図２】
2006159527.tif 000004
【図３】
2006159527.tif 000005
【図４】
2006159527.tif 000006
【図５】
2006159527.tif 000007
【図６】
2006159527.tif 000008
【図７】
2006159527.tif 000009
【図８】
2006159527.tif 000010
【図９】
2006159527.tif 000011
【図１０】
2006159527.tif 000012
【図１１】
2006159527.tif 000013
【図１２】
2006159527.tif 000014